(57)【要約】【課題】分解、組立が容易で、洗浄しやすく、不使用時に小スペースに整然と収納することができる卓上用の手動式コーヒーグラインダーを提供する。【解決手段】コーヒーグラインダー１は、筐体２と、グラインダー組立体３と、蓋体４と、粉容器５と、操作ハンドル６とを具備する。グラインダー組立体３は、筐体２の上部開口２１に着脱自在のホッパー３１と、グラインダー３２とからなる。ホッパー３１は、漏斗部３１１と軸受け筒部３１３とを具備する。漏斗部３１１は、上端部が筐体２の上部開口２１内に着脱自在に嵌合する。グラインダー３２の垂直の回転軸３２１は、軸受け筒部３１３に支持される。粉容器５は、グラインダー組立体３の下方においてコーヒー粉を受け入れるように筐体２内に組み込まれる。操作ハンドル６は、グラインダー３の回転軸３２１に着脱自在である。【選択図】図１
0003184678.tif 000002
【実用新案登録請求の範囲】
【請求項１】
上部に開口を有する概略直方体箱状の筐体と、
上部において前記筐体の上部開口に着脱自在に嵌合しコーヒー豆を受け入れて下方へ送出するホッパーと、このホッパーの下部に固着されホッパーから送出されるコーヒー豆を碾いてコーヒー粉を下方へ排出するグラインダーとからなるグラインダー組立体と、
前記筐体の上部開口を開閉する蓋体と、
前記グラインダー組立体の下部において前記筐体に着脱自在に組み込まれる粉容器と、
前記グラインダーを駆動するための操作ハンドルと、を具備し、
前記筐体は、合成樹脂で一体成形され、底板と、前後左右の側板とを有し、上方に開放し、前側板の下部に矩形の下部開口を具備し、
前記ホッパーは、合成樹脂で一体成形され、上部において前記筐体の上部開口に着脱自在に嵌合する下すぼまりの漏斗部と、この漏斗部の内側に支持脚を介して連続する垂直方向の軸受け筒部とを具備し、
前記ホッパーの漏斗部は、上端部が前記筐体の上部開口内に着脱自在に嵌合する矩形状をなし、コーヒー豆を受け入れる概略矩形の上部受け入れ開口と、コーヒー豆を送出する下部送出開口とを具備し、
前記グラインダーは、前記ホッパーの軸受け筒部に支持される垂直の回転軸と、この回転軸の下端部に固定される内臼と、この内臼を回転自在に内包するようにホッパーの下部に固着される外臼とからなり、
前記粉容器は、上方に開放する概略直方体箱状で、前記グラインダー組立体の下方においてコーヒー粉を受け入れるように筐体内に組み込まれ、下部開口を開閉するように前後方向へ引き出し押し込み可能であり、
前記操作ハンドルは、グラインダーの回転軸に着脱自在であり、
前記筐体の左右側板は、上縁部に、相対向して前後方向に延びるスライド溝を備え、
前記蓋体は、左右側板のスライド溝に係合して筐体に対して前後方向に引き出し押し込み可能に構成され、前記グラインダーの回転軸を貫通させる前後方向の切欠溝を具備し、
前記グラインダーの回転軸は、前記蓋体から上方へ突出した上端部に、前記操作ハンドルを接続する接続部を有することを特徴とする卓上用手動式コーヒーグラインダー。
【請求項２】
前記ホッパーは、上縁部外周にフランジ部を有し、
前記筐体は、上部内周に、前記ホッパーのフランジ部を載せ受ける段部を有することを特徴とする請求項１に記載の卓上用手動式コーヒーグラインダー。
【請求項３】
前記筐体の左右側板の内側面には、前記下部開口の左右上隅部から前後方向に水平に延びるスライド突条が設けられ、
前記粉容器は、前記筐体のスライド突条上に摺動自在に載せ受けられるように左右側板の上縁部に形成されるスライドフランジと、前側板の上縁部から前方へ突出するように設けられる摘まみ部とを具備することを特徴とする請求項１に記載の卓上用手動式コーヒーグラインダー。
【請求項４】
前記筐体の底板は、シリコーンゴム製で、側板の下端部に着脱自在に嵌合される概略矩形の吸着板からなり、
前記筐体の左右側板には、前記吸着板の中央部を撓ませて卓上に真空吸着させるための操作レバーが回転自在に支持され、
前記吸着板は、概略矩形の基板部と、この基板部の周縁部の上面に前記側板の下端部の内側に嵌合されるように形成される嵌合突部と、水平方向の軸貫通孔を有し基板部の中央部から上方に突出するように基板部に固着される軸受け部材とを具備し、
前記操作レバーは、筐体の左右側板にそれぞれ回転自在に支持される両側の同心の軸部と、これら軸部間にあって軸部に対して偏心し前記軸受け部材の軸貫通孔を自在に貫通する屈曲部と、一方の軸部に連続し、左右いずれかの側板から外側へ突出し当該側板の外側面に沿って延びるように直角に屈曲したハンドル部とを具備し、
前記操作レバーを回転させることにより、前記軸受け部材を介して前記吸着板の中央部を上方へ撓ませて、吸着板を卓上に真空吸着させることを特徴とする請求項１に記載の卓上用手動式コーヒーグラインダー。
【考案の詳細な説明】
【技術分野】
【０００１】
本考案は、卓上で使用する手動式のコーヒーグラインダーに関する。
【背景技術】
【０００２】
従来、特許文献１に記載されたコーヒーミルが提案されている。このコーヒーミルは、上下が開放し内部にグラインダーの雄刃が固着された円筒状の外筒と、外筒の下部に着脱自在に連結される容器と、上下が開放し内部にグラインダーの雌刃が固着され、下部が外筒内へ相対回転自在に挿入される円筒状の内筒とを具備する。内筒の上部には、半径方向外側へ延出する回転操作用のハンドルが固着される。雄刃と雌刃とは互いに相対回転自在に噛み合う。内筒を雌刃と一体に外筒に対して相対回転させ、雄刃と雌刃との間でコーヒー豆を粉砕し、粉砕されたコーヒー粉を容器に受け入れる。
【先行技術文献】
【特許文献】
【０００３】
【特許文献１】実開平１−７９４３７号公報
【考案の概要】
【考案が解決しようとする課題】
【０００４】
特許文献１に記載のコーヒーミルは、構成部材の分解、組立が容易でなく、清掃も容易でない。また、このコーヒーミルは、全体が円筒状であるため、収納時に隣接する他の物品に緊密に並べることができず、またハンドルが突出しているため比較的大きな収納スペースを必要とするという課題がある。
したがって、本考案は、分解、組立が容易で、洗浄しやすく、不使用時に小スペースに整然と収納することができる卓上用の手動式コーヒーグラインダーを提供することを目的としている。
【課題を解決するための手段】
【０００５】
以下、添付図面の符号を参照して説明するが、本考案はこれに限定されるものではない。
上記課題を解決するための、本考案のコーヒーグラインダー１は、上部に開口２１を有する概略直方体箱状の筐体２と、筐体２の上部開口２１に着脱自在に嵌合するグラインダー組立体３と、筐体２の上部開口２１を開閉する蓋体４と、グラインダー組立体３の下部に着脱自在に組み込まれる粉容器５と、グラインダー３２を駆動するための操作ハンドル６とを具備する。筐体２は、底板２２と、前後左右の側板２３，２４，２５，２６とを有し、上方に開放し、前側板２３の下部に矩形の下部開口２３ａを有する。グラインダー組立体３は、筐体２の上部開口２１に着脱自在に取り付けられ、コーヒー豆を受け入れて下方へ送出するホッパー３１と、ホッパー３１から送出されるコーヒー豆を碾いてコーヒー粉を下方へ排出するグラインダー３２とからなる。ホッパー３１は、下すぼまりの漏斗部３１１と、漏斗部３１１の内側に支持脚３１２を介して固定される垂直方向の軸受け筒部３１３とを具備する。漏斗部３１１は、上端部が筐体２の上部開口２１内に着脱自在に嵌合する矩形状をなし、コーヒー豆を受け入れる概略矩形の上部受け入れ開口３１１ａと、コーヒー豆を送出する下部送出開口３１１ｂとを有する。グラインダー３２は、ホッパー３１の軸受け筒部３１３に支持される垂直の回転軸３２１と、この回転軸３２１の下端部に固定される内臼３２２と、この内臼３２２を回転自在に内包するようにホッパー３１の下部に固着される外臼３２３とからなる。粉容器５は、上方に開放する概略直方体箱状で、グラインダー組立体３の下方においてコーヒー粉を受け入れるように筐体２内に組み込まれ、下部開口２３ａを開閉するように前後方向へ引き出し押し込み可能である。操作ハンドル６は、グラインダー３の回転軸３２１に着脱自在である。筐体２の左右側板２５，２６は、上縁部に、相対向して前後方向に延びるスライド溝２５１，２６１を備える。蓋体４は、左右側板２５，２６のスライド溝２５１，２６１に係合して筐体２に対して前後方向に引き出し押し込み可能に構成され、グラインダー組立体３の回転軸３２１を貫通させる前後方向の切欠溝４２を具備する。グラインダーの回転軸３２１は、蓋体４から突出した上端部に、操作ハンドル６を接続する接続部を有する。
【考案の効果】
【０００６】
本考案のコーヒーグラインダーは、分解、組立が容易で、洗浄しやすく、不使用時には、小スペースに整然と収納することができる。
【図面の簡単な説明】
【０００７】
【図１】本考案に係るコーヒーグラインダーの分解斜視図である。
【図２】図１のコーヒーグラインダーの正面図である。
【図３】図１のコーヒーグラインダーの側面図である。
【図４】（ａ）は図１のコーヒーグラインダーの平面図、（ｂ）は図１のコーヒーグラインダーの蓋体と操作ハンドルを取り外した状態の平面図である。
【図５ａ】底板を卓上に吸着させた状態の図４におけるV−V断面図である。
【図５ｂ】操作ハンドルを取り外した状態の図４におけるV−V断面図である。
【図６】図４におけるVI−VI断面図である。
【考案を実施するための形態】
【０００８】
図面を参照して本考案の実施の形態を説明する。
コーヒーグラインダー１は、上部に開口２１を有する概略直方体箱状の筐体２と、筐体２の上部開口に着脱自在に嵌合するホッパー３１とグラインダー３２とからなるグラインダー組立体３と、筐体２の上部開口２１を開閉する蓋体４と、グラインダー組立体３の下部に着脱自在に組み込まれる粉容器５と、グラインダー３２を駆動するための操作ハンドル６とを具備する。
【０００９】
筐体２は、底板２２と、前後左右の側板２３，２４，２５，２６とを有し、上方に開放し、前側板２３の下部に矩形の下部開口２３ａを有する。筐体２は、底板２２を除き、透明な合成樹脂で一体成形される。筐体２の上部内周には、ホッパー３１を載せ受ける段部２７が形成される。左右側板２５，２６の上縁部には、相対向して前後方向に延びるスライド溝２５１,２６１が形成される。左右側板２５，２６の内側面には、下部開口２３ａの左右上隅部から前後方向に水平に延びるスライド突条２５２,２６２が設けられる。スライド突条２５２,２６２は、粉容器５を支持する。
【００１０】
透明な合成樹脂で形成される蓋体４は、概略矩形の板状体で、左右両縁に、スライド溝２３ａ,２４ａに摺動自在に係合する摺動片４１を有し、筐体２に対して前後方向に引き出し押し込み可能である。蓋体４は、後縁の中央から中心部に至る前後方向の切欠溝４２を具備する。
【００１１】
ホッパー３１は、筐体２の上部開口２１に着脱自在に嵌合され、上部開口２１からコーヒー豆を受け入れて下方のグラインダー３２へ送出する。グラインダー３２は、ホッパー３１から送出されるコーヒー豆を碾いてコーヒー粉を下方の粉容器５へ落下させる。
【００１２】
ホッパー３１は、合成樹脂製で一体成形され、下すぼまりの漏斗部３１１と、漏斗部３１１の内側に支持脚３１２を介して固定される垂直方向の軸受け筒部３１３とを具備する。
【００１３】
漏斗部３１１は、上端部が筐体２の上部開口２１内に着脱自在に嵌合する矩形状をなし、概略矩形の上部受け入れ開口３１１ａと下部送出開口３１１ｂとを有する。漏斗部３１１は、上部受け入れ開口３１１ａからコーヒー豆を受け入れ、放射状に配置される４つの支持脚３１２の間を通して、下部送出開口３１１ｂからコーヒー豆をグラインダー３２へ送出する。
【００１４】
グラインダー３２は、ホッパー３１の軸受け筒部３１３に支持される垂直の回転軸３２１と、この回転軸３２１の下端部に固定される内臼３２２と、この内臼３２２を回転自在に内包するようにホッパー３１の下部に固着される外臼３２３とからなる。回転軸３２１は、大径部３２１ａと小径部３２１ｂとを有し、上端部が軸受け筒３１３から上方へ突出し、蓋体の切欠溝４２を貫通する。大径部３２１ａの上部には、ねじ部３２１ｃが形成される。小径部３２１ｂは、相対向する平面部３２１ｄを有する異形断面形状で、上端部にねじ部３２１ｅが形成される。
【００１５】
粉容器５は、透明な合成樹脂製で、グラインダー組立体３の下方において、コーヒー粉を受け入れるように、筐体２に組み込まれる。粉容器５は、上方に開放する概略直方体箱状で、左右側板の上縁部に形成されるスライドフランジ５１と、前側板の上縁部から前方へ突出する摘まみ部５２とを具備する。スライドフランジ５１は、筐体のスライド突条２５２，２６２上に摺動自在に載せ受けられる。粉容器５は、筐体２の下部開口２３ａを開閉するように、前後方向へ引き出し押し込み可能である。
【００１６】
操作ハンドル６は、金属製で細長い板状の本体６１と、本体の先端側に取り付けられた握り部６２とを具備する。本体６１は、回転軸３２１の小径部３２１ｂを相対回転不可能に貫通させる連結孔６１ａを基端側に有する。操作ハンドル６は、粒度調整金具７，８を介して回転軸３２１の小径部３２１ｂに着脱自在で、締め付け金具９により回転軸３２１に固定される。
【００１７】
筐体２の底板２２は、シリコーンゴム製で、概略矩形の吸着板からなり、側板２３，２４，２５，２６の下端部に着脱自在に嵌合される。吸着板２２は、概略矩形の基板部２２１と、この基板部の周縁部の上面に形成される嵌合突部２２とを有する。基板部２２１の中央部には、上方に突出するように軸受け部材２２３が固着される。軸受け部材２２３は、前後方向に水平に延びる軸貫通孔２２３ａを有する。
【００１８】
筐体２の左右側板２５，２６間には、吸着板２２の中央部を撓ませて卓上に真空吸着させるための操作レバー１０が回転自在に支持される。操作レバー１０は、軸部１０１，１０２と、これら軸部間の屈曲部１０３と、軸部１０２筐体から９０°屈曲するハンドル部１０４とを具備する。軸部１０１，１０２は同心で、それぞれ左右側板２５，２６に回転自在に支持される。屈曲部１０３は、軸部１０１，１０２に対して偏心し、軸受け部材２２３の軸貫通孔２２３ａを自在に貫通する。ハンドル部１０４は、側板２６の外側に位置し、当該側板２６の外側面に沿って延びる。操作レバー１０を１０８°回転させることにより、軸受け部材２２３を介して吸着板２２の中央部を上方へ撓ませて、吸着板をテーブルＴ上に真空吸着させることができる。
【００１９】
ホッパー３１の上縁部の片側には、凹部３１１ｃが形成される。蓋体４の一方の縁部には、凹部３１１ｃに対向する貫通孔４３が形成される。また、筐体２の一方のスライド突条２６２には、凹部３１１ｃの下方に対向する挿通孔２６２ａが形成される。図５ｂに示すように、グラインダー３の回転軸３２１から取り外された操作ハンドル６は、本体６１を貫通孔４３、凹部３１１ｃ、挿通孔２６２ａに挿通することにより、筐体２内に立てて保管される。
【００２０】
コーヒー豆を碾くときには、図５ａに示すように、底板２２をテーブルＴ上に真空吸着させ、蓋体４を抜き取り、ホッパー３１内にコーヒー豆を入れた後、蓋体４を装着し、操作ハンドル６を介して回転軸３２１、内臼３２２を回転させる。コーヒー豆は、内臼３２２と外臼３２３との間ですり潰され、コーヒー粉となって粉容器５内に収集される。
【００２１】
不使用時には、操作ハンドル６を回転軸３２１から取り外し、図５ｂに示すように、筐体２内に立てて保管する。保管時には、全体が扁平な箱状体になるので、コンパクトに収納できる。
【００２２】
蓋体４を取り外せば、グラインダー組立体３を容易に筐体２から取り外すことができる。筐体２もグラインダー組立体３も水洗いすることができる。必要に応じ、さらに内臼３２２を回転軸３２１と一体に、グラインダー組立体３から取り外し、清掃することができる。
【符号の説明】
【００２３】
１    コーヒーグラインダー
２    筐体
２１  上部開口
２２  底板（吸着板）
２２１  基板部
２２２  嵌合突部
２２３  軸受け部材
２２３ａ  軸貫通孔
２３  前側板
２３ａ  下部開口
２４  後側板
２５  左側板
２５１  スライド溝
２５２  スライド突条
２６  右側板
２６１  スライド溝
２６２  スライド突条
２６２ａ  挿通孔
２７  段部
３    グラインダー組立体
３１  ホッパー
３１１  漏斗部
３１１ａ  上部受け入れ開口
３１１ｂ  下部送出開口
３１１ｃ  凹部
３１２  支持脚
３１３  軸受け筒部
３２  グラインダー
３２１  回転軸
３２１ａ  大径部
３２１ｂ  小径部
３２１ｃ  ねじ部
３２１ｄ  平面部
３２１ｅ  ねじ部
３２２  内臼
３２３  外臼
４    蓋体
４１  摺動片
４２  切欠溝
４３  貫通孔
５    粉容器
５１  スライドフランジ
６    操作ハンドル
６１  本体
６１ａ  連結孔
６２  握り部
７    粒度調整金具
８    粒度調整金具
９    締め付け金具
１０  操作レバー
１０１  軸部
１０２  軸部
１０３  屈曲部
１０４  ハンドル部
【図１】
0003184678.tif 000003
【図２】
0003184678.tif 000004
【図３】
0003184678.tif 000005
【図４】
0003184678.tif 000006
【図５ａ】
0003184678.tif 000007
【図５ｂ】
0003184678.tif 000008
【図６】
0003184678.tif 000009